(57)【要約】【課題】弁蓋及び便座をきわめて衛生的で且つ気持ち良く開閉操作できるようにした水洗便器を提供する。【解決手段】便器本体１と、便器本体１の開口部周縁１ａに着座する便座２と、便座２に着座して便器本体１を閉口する弁蓋３とを有し、便座２と弁蓋３とは夫々の基端部が便器本体１に枢着されて夫々独立して上下に開閉自在となっている水洗便器において、便座２及び弁蓋３の夫々の先端部に、便座２と弁蓋３とを開閉操作するための把手４，５を突設してなる。【選択図】図３
0003119618.tif 000002
【実用新案登録請求の範囲】
【請求項１】
便器本体と、便器本体の開口部周縁に着座する便座と、便座に着座して便器本体を閉口する弁蓋とを有し、便座と弁蓋とは夫々の基端部が便器本体側に枢着されて夫々独立して上下に開閉自在となっている水洗便器において、便座及び弁蓋の夫々の先端部に、便座と弁蓋とを開閉操作するための把手を突設してなることを特徴とする水洗便器。
【請求項２】
弁蓋に突設される把手は、便座に突設される把手よりも突出量を大きく取ってなる請求項１に記載の水洗便器。
【請求項３】
便座に突設される把手及び弁蓋に突設される把手は、便座及び弁蓋とは夫々別体のもので、便座及び弁蓋に対し夫々取り付けられてなる請求項１又は２に記載の水洗便器。
【請求項４】
便座に突設される把手及び弁蓋に突設される把手は、便座及び弁蓋と夫々一体に形成されてなる請求項１又は２に記載の水洗便器。
【考案の詳細な説明】
【技術分野】
【０００１】
本考案は、水洗便器に関するもので、特に、便器本体と、この便器本体の開口部周縁に着座する便座と、この便座に着座して便器本体を閉口する弁蓋とを有し、便座と弁蓋とは夫々の基端部が便器本体に枢着されて夫々独立して上下に開閉自在となっている水洗便器に関する。
【背景技術】
【０００２】
この種の水洗便器では、便器を使用しない時は、便座に着座される弁蓋を閉じておき、しかして便器を使用する時に弁蓋の周縁所要部を持ち上げて開蓋し、使用後に再び弁蓋の周縁所要部を倒して閉蓋するようになっている。また、便座は、常時便器本体上に着座しておき、便器本体を掃除するような時に持ち上げるようになっている。
【考案の開示】
【考案が解決しようとする課題】
【０００３】
上記のように従来の水洗便器においては、弁蓋及び便座を上げ下げ開閉操作するのに、便器使用者が弁蓋それ自体、また便座それ自体を直接手で掴むようにしているが、弁蓋や便座には、例えば先の便器使用者による便器の使用時に小便等の汚水や汚物が便器本体のボウル内面から跳ね返ったりして付着するという可能性もあることから、後の使用者が弁蓋や便座を直接掴むのは気持ちが悪く、衛生上からも好ましいものではない。
【０００４】
本考案は、上記のような課題に鑑み、弁蓋及び便座を衛生的にして且つ気持ち良く開閉操作できるようにした水洗便器を提供することを目的とする。
【課題を解決するための手段】
【０００５】
上記課題を解決するための手段を、後述する実施形態の参照符号を付して説明すると、請求項１に係る考案は、便器本体１と、便器本体１の開口部周縁１ａに着座する便座２と、便座２に着座して便器本体１を閉口する弁蓋３とを有し、便座２と弁蓋３とは夫々の基端部が便器本体１に枢着されて夫々独立して上下に開閉自在となっている水洗便器において、便座２及び弁蓋３の夫々の先端部に、便座２と弁蓋３とを開閉操作するための把手４，５を突設してなることを特徴とする。
【０００６】
請求項２は、請求項１に記載の水洗便器において、弁蓋３に突設される把手５は、便座２に突設される把手４よりも突出量を大きく取ってなることを特徴とする。
【０００７】
請求項３は、請求項１又は２に記載の水洗便器において、便座２に突設される把手４及び弁蓋３に突設される把手５は、便座２及び弁蓋３とは夫々別体のもので、便座２及び弁蓋３に対し夫々取り付けられてなることを特徴とする。
【０００８】
請求項４は、請求項１又は２に記載の水洗便器において、便座２に突設される把手４及び弁蓋３に突設される把手５は、便座２及び弁蓋３と夫々一体に形成されてなることを特徴とする。
【考案の効果】
【０００９】
上記解決手段による考案の効果を、後述する実施形態の参照符号を付して説明すると、請求項１に係る考案によれば、閉じた状態にある弁蓋３を開放する時は、弁蓋３側の把手５を摘んで持ち上げることによって、弁蓋３に触れることなく、弁蓋３を開放することができる。このように弁蓋３の開放時には弁蓋３の先端部に突設された把手５を摘んで持ち上げればよいから、きわめて衛生的であると共に、気持ち良く弁蓋３を開放することができる。
【００１０】
また、便器本体１を掃除するような時には、弁蓋３の開放後、便座２の先端部にある把手４を摘んで持ち上げることにより、便座２に触れることなく、弁蓋３を開放することができる。特に便座２は、常時便器本体１上に着座されるもので、便器使用時には小便等の汚水や汚物が便器本体１のボウル内面８から跳ね返ったりして、便座２の下部側周縁部に付着する可能性も多いだけに、便座２それ自体に触らずに便座２を開放できることは非常に有効である。また、上記のように便座２の先端部にある把手４が衛生的であれば、この便座２側把手４の上に重なった状態にある弁蓋３側の把手５は、便座２側の把手４以上に衛生的であり、従って便座２の開閉操作も衛生的にして且つ気持ち良く行なうことができる。
【００１１】
請求項２に係る考案によれば、弁蓋３に突設される把手５は、便座２に突設される把手４よりも突出量を大きく取ってあるから、弁蓋３側の把手５が掴み易く、弁蓋３の開放操作が容易となる。
【００１２】
請求項３に係る考案によれば、便座２に突設される把手４及び弁蓋３に突設される把手５は、便座２及び弁蓋３とは夫々別体のもので、便座２及び弁蓋３に対し夫々取り付け固定されるから、既製の水洗便器の便座２及び弁蓋３に簡単且つ容易に適用することができる。
【００１３】
請求項４に係る考案によれば、便座２に突設される把手４及び弁蓋３に突設される把手５を、便座２及び弁蓋３と夫々一体に形成すれば、把手４，５の取付けの手間が要らず、製作的に有利である。
【考案を実施するための最良の形態】
【００１４】
以下に本考案の好適な実施形態について図面に基づいて説明すると、図１は本考案に係る水洗便器の非使用状態での斜視図、図２の(a) は同水洗便器の非使用状態での側面図、(b) は(a) に示す水洗便器の一部平面図、図３は弁蓋を開放している状態の斜視図、図４は弁蓋及び便座を共に開放した状態としている斜視図である。
【００１５】
図において、１は水洗便器の便器本体であり、２は便器本体１の開口部周縁１ａに着座する便座であり、３は便座２に着座して便器本体１を閉口する弁蓋であって、便座２と弁蓋３とは、夫々の基端部が便器本体１側に枢着されて夫々独立して上下に開閉自在となっており、そして便座２及び弁蓋３には夫々の先端部に、便座２と弁蓋３とを開閉操作するための把手４，５が夫々突設されている。６は給水タンクである。
【００１６】
便座２及び弁蓋３は、夫々例えばポリプロピレン等の合成樹脂材料によって形成されたもので、便座２の基端部及び弁蓋３の基端部は、便器本体１に取り付け固定された枢軸用台枠７に夫々枢着されて、夫々独立して上下に開閉自在となっている。尚、図２において８は便器本体１のボウル内面を示す。
【００１７】
便座２及び弁蓋３の夫々先端部に突設された把手４，５は、便座２及び弁蓋３と夫々同じ合成樹脂材料、例えばポリプロピレンによって形成されたもので、図２に示すように、弁蓋３に突設される把手５は、便座２に突設される把手４よりも突出量を大きく取ってある。即ち、図２の(a) に示すように、弁蓋３の把手５の突出量はＮ5 で、便座２の把手４の突出量Ｎ4 より大きい。この場合、把手５の突出量Ｎ5 は３０ｍｍ程度、把手４の突出量Ｎ4 は２０ｍｍ程度とされる。
【００１８】
上記のように弁蓋３の先端部に突設される把手５を便座２の先端部に突設される把手４の突出量より大きくしたのは、便座２側の把手４の上側に弁蓋３側の把手５が重なって位置する状態にあって、弁蓋３が先に開けられるため、弁蓋３側の把手５を便座２側の把手４よりも長く突出させることによって、弁蓋３の開放時に弁蓋３側の把手５が掴み易くなるからである。
【００１９】
この把手４，５は、図１に示すように平面視略山形状に形成されているが、半円形や矩形状でもよく、その形状は任意である。また、この把手４，５は、便座２及び弁蓋３に対し夫々接着剤によって強固に取り付け固定されている。
【００２０】
上記のような構成よりなる水洗便器の使用について説明すれば、図１及び図２は水洗便器の非使用状態、即ち弁蓋３を閉じた状態を示す。この図１及び図２に示す状態から弁蓋３を開放する時は、弁蓋３側の把手５を摘んで持ち上げることにより、弁蓋３に触れることなく、弁蓋３を開放することができる。図３は弁蓋３を途中まで開放した状態を示す。このように弁蓋３の開放時には弁蓋３の先端部に突設された把手５を摘んで持ち上げればよいから、きわめて衛生的であると共に、気持ち良く弁蓋３を開放することができる。
【００２１】
またこの場合、弁蓋３の先端部に突設された把手５が便座２の先端部に突設された把手４の突出量より大きく、便座２側の把手４上に重なった状態にある弁蓋３側把手５の先端部が便座２側把手４から突出しているから、弁蓋３側の把手５が掴み易く、開放操作が容易となる。
【００２２】
また、便器本体１を掃除するような時には、上記のようにして弁蓋３を開放させた後、便座２の先端部にある把手４を摘んで持ち上げることにより、便座２に触れることなく、弁蓋３を開放することができる。特に便座２は、常時便器本体１上に着座されるもので、便器使用時には小便等の汚水や汚物が便器本体１のボウル内面８から跳ね返ったりして、便座２の下部側周縁部に付着するような可能性も多いだけに、便座２それ自体に触らずに便座２を開放できることは非常に有効である。
【００２３】
即ち、図２から分かるように、便座２の先端部にある把手４には、便器使用時に小便等の汚水や汚物が便器本体１のボウル内面８ら跳ね返ったりして付着するようなおそれがないから、この把手４を摘んで便座２を開閉操作することは非常に衛生的であると共に、気持ち良く開閉できるものである。
【００２４】
また、上記のように便座２の先端部にある把手４が衛生的であれば、この便座２側把手４の上に重なった状態にある弁蓋３側の把手５は、便座２側の把手４以上に衛生的であることが言える。
【００２５】
また、上記の把手４，５は、便座２及び弁蓋３に対し夫々接着剤によって取り付けられるものであるから、既製の水洗便器の便座２及び弁蓋３に簡単且つ容易に適用することができる。
【００２６】
以上説明した実施形態では、把手４，５は、便座２及び弁蓋３とは別体のもので、便座２及び弁蓋３に対し夫々取り付けられるものとしたが、この把手４，５は、便座２及び弁蓋３の製造時に便座２及び弁蓋３と夫々一体に形成されてもよく、そうすることによって把手４，５の取付けの手間が要らず、製作的に有利である。
【００２７】
尚、上述した実施形態では、便器本体１上に便座２及び弁蓋３を備えた普通の水洗便器について説明したが、本考案に係る水洗便器は、シャワートイレタイプの水洗便器にも適用できるものである。
【図面の簡単な説明】
【００２８】
【図１】本考案に係る水洗便器の非使用状態での斜視図である。
【図２】(a) は同水洗便器の非使用状態での側面図、(b) は(a) に示す水洗便器の一部平面図である。
【図３】弁蓋を開放している状態の水洗便器の斜視図である。
【図４】弁蓋及び便座を共に開放した状態での水洗便器の斜視図である。
【符号の説明】
【００２９】
１            便器本体
１ａ          便器本体の開口部周縁
２            便座
３            弁蓋
４            便座側の把手
５            弁蓋側の把手
【図１】
0003119618.tif 000003
【図２】
0003119618.tif 000004
【図３】
0003119618.tif 000005
【図４】
0003119618.tif 000006